(57)【要約】【課題】グリップ部を有するマンドレルとベルトラッパーを備えた金属帯の巻取り装置において、リールマーク（グリップマーク及び板厚段差痕）の発生を的確に抑止して、金属帯を良好な品質で巻き取ることができる金属帯の巻取り方法を提供する。【解決手段】鋼帯１０の先端部１０ａをグリップ部１３に合わせて停止させ、先端部１０ａをグリッパー１７で拘束しない状態でベルトラッパー２１をマンドレル１２に巻き掛けた後、マンドレル１２を回転させて鋼帯１０の巻取りを行う。【選択図】図３
2006272338.tif 000002
【特許請求の範囲】
【請求項１】
グリップ溝とグリッパーを有するマンドレルと、該マンドレルに巻き掛けられるベルトを有するベルトラッパーを備えた金属帯の巻取り装置を用いた金属帯の巻取り方法であって、
金属帯の先端部をマンドレルのグリップ溝に合わせて停止させ、金属帯の先端部をグリッパーで拘束しない状態でベルトラッパーのベルトをマンドレルに巻き掛けた後、マンドレルを回転させて金属帯の巻取りを行うことを特徴とする金属帯の巻取り方法。
【発明の詳細な説明】
【技術分野】
【０００１】
本発明は、金属帯をコイル状に巻き取るのに好適な金属帯の巻取り方法に関するものである。
【背景技術】
【０００２】
金属帯（例えば、鋼帯）をコイル状に巻き取る方法としては、グリップ巻きとベルトラッパー巻きの二つの方法が知られている。
【０００３】
グリップ巻きは、金属帯の先端部を噛み込ませるグリップ部（グリップ溝とグリッパー）を外周面に有するマンドレルを用いて巻取りを行うものであり、金属帯の先端部をグリップ溝に挿入し、グリップ溝に設けられているグリッパーで掴んで拘束して巻取りを行うものである（例えば、特許文献１参照。）。
【０００４】
一方、ベルトラッパー巻きは、巻取りリールの外周を所定の押付力で押圧するベルトを有するベルトラッパーを用いて金属帯の先端部を拘束して巻取りを行うものである（例えば、特許文献２参照。）。
【０００５】
そして、グリップ部を有するマンドレルと、マンドレルに取り付けるベルトラッパーを備え、必要に応じてグリップ巻きとベルトラッパー巻きを使い分けることができるようにした金属帯の巻取り装置が知られている（例えば、特許文献３参照。）。
【特許文献１】実開平０２−１１８６１２号公報
【特許文献２】特開平０８−１９２２２５号公報
【特許文献３】特開平０６−２６２２５７号公報
【発明の開示】
【発明が解決しようとする課題】
【０００６】
しかし、グリップ巻き及びベルトラッパー巻きのいずれも以下のような問題がある。
【０００７】
まず、グリップ巻きの場合には、金属帯の先端部をグリップ溝に挿入してグリッパーで掴んで巻取りを開始した際に、グリッパーで拘束されている先端部の直後の部分に曲げ応力が集中するために、凸形状が発生し、その部分には、金属帯の１巻目と２巻目以降との間に、グリップマークと呼ばれる痕が発生する。
【０００８】
一方、ベルトラッパー巻きの場合には、金属帯の先端部に板厚段差が生じるので、その板厚段差によって２巻目以降に痕（板厚段差痕）が発生する。
【０００９】
そして、発生したグリップマークあるいは板厚段差痕（以下、両者を合わせて、リールマークと呼ぶ）が製品品質上許容されない場合には、その部分を切り捨てたり、出荷停止となったりすることになる。
【００１０】
ベルトラッパー巻きの場合は、段付ゴムスリーブを装着した巻取りリールを用いて、金属帯の先端部を段付ゴムスリーブの段付位置に合わせてから巻き取ることにより、板厚段差痕の発生を防止することが行われているが、前記特許文献３に記載されたような、グリップ部を有するマンドレルとベルトラッパーを備え、グリップ巻きとベルトラッパー巻きを使い分けることができるようにした巻取り装置においては、段付ゴムスリーブを装着することはできないので、その方法を適用することはできない。
【００１１】
本発明は、上記のような事情に鑑みてなされたものであり、グリップ部を有するマンドレルとベルトラッパーを備えた金属帯の巻取り装置において、リールマーク（グリップマーク及び板厚段差痕）の発生を的確に抑止して、金属帯を良好な品質で巻き取ることができる金属帯の巻取り方法を提供することを目的とするものである。
【課題を解決するための手段】
【００１２】
上記課題を解決するために、本発明は以下の特徴を有する。
【００１３】
［１］グリップ溝とグリッパーを有するマンドレルと、該マンドレルに巻き掛けられるベルトを有するベルトラッパーを備えた金属帯の巻取り装置を用いた金属帯の巻取り方法であって、
金属帯の先端部をマンドレルのグリップ溝に合わせて停止させ、金属帯の先端部をグリッパーで拘束しない状態でベルトラッパーのベルトをマンドレルに巻き掛けた後、マンドレルを回転させて金属帯の巻取りを行うことを特徴とする金属帯の巻取り方法。
【発明の効果】
【００１４】
本発明においては、金属帯の先端部をグリッパーで拘束しないので、先端部の直後の部分に凸形状が発生することはなく、グリップマークの発生が抑止されるとともに、金属帯の先端部がグリップ溝に沈み込むので、金属帯の先端部において板厚段差が生じることはなく、板厚段差痕の発生が抑止される。これによって、リールマーク（グリップマーク及び板厚段差痕）の発生が的確に抑止され、金属帯を良好な品質で巻き取ることができる。
【発明を実施するための最良の形態】
【００１５】
本発明の一実施形態を、鋼帯の酸洗ラインにおいて、鋼帯をテンションリール（巻取り装置）に巻き取る場合を例にして説明する。
【００１６】
図１は、この実施形態において用いるテンションリール１１を示す図である。このテンションリール１１は、外表面にグリップ部１３を有するマンドレル１２と、マンドレル１２に取り付けられるベルトラッパー２１を備えている。
【００１７】
ベルトラッパー２１は、マンドレル１２の外周に巻き掛けられるベルト２２と、ベルト２２を支持する複数のガイドロール２３と、複数のガイドロール２３のうちの先端のガイドロール２３ａをマンドレル１２側に押し付けるための油圧シリンダ（図示せず）と、マンドレル１２とベルト２２の間に鋼帯を案内するためのガイド板２４とを備えている。そして、ベルトラッパー巻きを行う場合には、最初の数巻きの間に、先端のガイドロール２３ａをマンドレル１２側に押し付けることによって、ベルト２２が締め付けられ、それによって鋼帯が拘束されて、マンドレル１２の形状に沿って巻き取られる。
【００１８】
また、図２は、マンドレル１２の外表面に設けられているグリップ部１３の詳細図である。グリップ部１３は、所定の間隔を置いて配されているセグメント１４とセグメント１５と、セグメント１５のセグメント１４側に取り付けられているグリップ板１５ａと、セグメント１４とグリップ板１５ａの隙間によって形成されるグリップ溝１６と、グリップ溝１６内に設けられているグリッパー１７と、グリッパー１７をグリップ溝１６内で前後進させる油圧シリンダ（図示せず）とを備えている。そして、グリップ巻きを行う場合には、まず、グリッパー１７をグリップ溝１６内で後進させて、グリップ溝１６を開けておき（開の状態）、鋼帯１０の先端部１０ａがグリップ溝１６に挿入されたら、グリッパー１７をグリップ溝１６内で前進させて、グリッパー１７とグリップ板１５ａで鋼帯１０の先端部１０ａを挟み込み（閉の状態）、その後、マンドレル１２を回転させて巻取りを行う。
【００１９】
そして、この実施形態においては、上記のように構成されたテンションリール１１を用いて、図３に示すような手順で鋼帯の巻取りを行う。
【００２０】
まず、図３（ａ）に示すように、マンドレル１２を、グリップ部１３が上部になる位置でマンドレル１２を停止させる。そして、デフレクタロール３１を経由して搬送されてきた鋼帯１０の先端部１０ａをグリップ部１３に合わせて停止させる。その際、グリッパー１７を開の状態にして、鋼帯１０の先端部１０ａがグリッパー１７で拘束されない状態にしておく。
【００２１】
次に、図３（ｂ）に示すように、ベルトラッパー２１をマンドレル１２に巻き掛ける。その際、必要に応じて、マンドレル１２を所定角度だけ回転させて、鋼帯１０とベルトラッパー２１のガイド板２４との位置を合わせてから、ベルトラッパー２１を巻き掛ける。
【００２２】
次に、図３（ｃ）に示すように、マンドレル１２を低速で回転させて、先端のガイドロール２３ａをマンドレル１２側に押し付けながら、最初の数巻き（例えば、１．２５周）を行う。その際、鋼帯１０の先端部１０ａは、上に重ねて巻かれた鋼帯に押されてグリップ溝１６に沈み込む。
【００２３】
そして、マンドレル１２の回転速度を上げて巻取りを行い、所定の巻数に達したら、図３（ｄ）に示すように、ベルトラッパー２１をマンドレル１２から取り外し、鋼帯１０の先端部１０ａをグリッパー１７で拘束しないまま、マンドレル１２の回転を加速させながら巻取りを行う。
【００２４】
以上のようにして、この実施形態においては、鋼帯１０の先端部１０ａをグリッパー１７で拘束しないので、グリップマークの発生が抑止されるとともに、鋼帯１０の先端部１０ａがグリップ溝１６に沈み込むので、板厚段差痕の発生が抑止される。これによって、リールマーク（グリップマーク及び板厚段差痕）の発生が的確に抑止され、鋼帯１０を良好な品質で巻き取ることができる。
【００２５】
なお、この実施形態で用いたテンションリール１１においては、そのリールマークが製品品質上許容される範囲内である場合には、適宜、グリップ巻きとベルトラッパー巻きを併用するようにしてもよいことはいうまでもない。
【図面の簡単な説明】
【００２６】
【図１】本発明の一実施形態において用いる巻取り装置の説明図である。
【図２】図１の巻取り装置におけるグリップ部の説明図である。
【図３】本発明の一実施形態における巻取り方法を説明する図である。
【符号の説明】
【００２７】
１０  鋼帯
１０ａ  鋼帯の先端部
１１  テンションリール
１２  マンドレル
１３  グリップ部
１４  セグメント
１５  セグメント
１５ａ  グリップ板
１６  グリップ溝
１７  グリッパー
２１  ベルトラッパー
２２  ベルト
２３  ガイドロール
２３ａ  先端のガイドロール
２４  ガイド板
３１  デフレクタロール
【図１】
2006272338.tif 000003
【図２】
2006272338.tif 000004
【図３】
2006272338.tif 000005